(57)【要約】【課題】  扉の叩き込みやシリンダ錠の引き抜きに対する防犯性能を向上させる錠取り付け構造と錠取り付けユニットを提供する。【解決手段】  正面板１４の後側に固着される第１補強板１８，１９と第２補強板２２，２３とを設け、その第１補強板１８，１９及び第２補強板２２，２３にフロントハウジング３１と蓋体３２とからなるシリンダケース３０を配設する。そのシリンダケース３０内に第１及び第２閂板５０，５１と支持板４３を配設して第１及び第２閂板５０，５１を上下方向に移動可能にするとともにシリンダ錠１３をシリンダケース３０引き抜けないように抜け止め固定して収容させる。【選択図】      図２
2005281987.tif 000002
【特許請求の範囲】
【請求項１】
容器本体の扉を施錠及び開錠する錠の錠本体を前記扉に取り付ける錠取り付け構造において、
前記錠本体を回動不能かつ軸線方向に移動不能に収容する錠ケースを前記錠の鍵穴の部分の面が前記扉から露出するように前記扉の裏面に配置固定したことを特徴とする錠取り付け構造。
【請求項２】
請求項１に記載の錠取り付け構造において、
前記扉は、その裏面に補強部材が固着され、前記錠ケースは前記補強部材を介して前記扉の裏面に固定されていることを特徴とする錠取り付け構造。
【請求項３】
請求項１又は２に記載の錠取り付け構造において、
前記錠ケースは、前記扉に形成された穴と連通する貫挿穴が形成され、その貫挿穴から錠本体を収入し収容することを特徴とする錠取り付け構造。
【請求項４】
請求項３に記載の錠取り付け構造において、
前記錠ケースは閂部材が配設され、その閂部材は収容された前記錠本体に形成された嵌合溝に対して係合位置と非係合位置との間を移動可能に支持されることを特徴とする錠取り付け構造。
【請求項５】
請求項１乃至４のいずれか１つに記載の錠取り付け構造において、
前記扉の裏面であって、前記錠ケースの前方位置に、前記錠を回動中心として回動する回転板を配設したことを特徴とする錠取り付け構造。
【請求項６】
容器本体の扉を施錠及び開錠する錠の錠本体を収容する錠ケースと、
前記錠ケースに配設され、その錠ケースに収容された前記錠本体に形成された嵌合溝に対して係合位置と非係合位置の間を移動可能とする閂部材と、
前記閂部材を係合位置に配設固定させる固定部材と
からなる錠取り付けユニット。
【発明の詳細な説明】
【技術分野】
【０００１】
本発明は、錠取り付け構造及び錠取り付けユニットに関する。
【背景技術】
【０００２】
従来、自動販売機（以下、単に自販機という）は、人を介さずに商品を販売できる利便性から２４時間路上に設置されている。そのため、自販機のシリンダ錠を収容するシリンダ取り付けユニットには、金銭及び商品の盗難に対して十分な対策を講じる必要がある。
【０００３】
一般に、シリンダ錠は薄い板状の止め金具に嵌め込まれその金具のフランジ部が薄い扉に固定され、扉から引き抜かれないように抜け止めされている。そのシリンダ錠は、鍵穴に鍵を差し込んで回動させるとシリンダ錠の操作軸が回動する。操作軸が回動すると、操作軸の先端に取着した操作カムが回動して自販機本体に係脱される（例えば特許文献１）。
【０００４】
そして、自販機を施錠する場合には、扉を閉じたときに鍵を一方向に回転させて、操作カム等により扉が自販機本体に対して掛止めされる（施錠される）。反対に鍵を反対方向に回転させると、操作カムは自販機本体との掛止めが解除される（開錠される）。
【特許文献１】特開平７−２９６２３５
【発明の開示】
【発明が解決しようとする課題】
【０００５】
しかしながら、扉の前側からシリンダ錠の周辺をハンマー等を用いて叩打して陥没させると、シリンダ錠を扉に固定している止め金具が破壊され、簡単に扉が開けられる虞があった。また、扉の前側からシリンダ錠の外周をホールソー等で切り抜くと、扉と止め金具とが切断されてシリンダ錠を引き抜くことが可能となり、操作カムが回動して簡単に扉が開けられる問題があった。
【０００６】
本発明は上記問題点を解消するためになされたものであって、その目的は、扉への叩き込みや錠の引き抜きに対する防犯性能を向上させる錠取り付け構造と錠取り付けユニットを提供することにある。
【課題を解決するための手段】
【０００７】
請求項１に記載の発明は、容器本体の扉を施錠及び開錠する錠の錠本体を前記扉に取り付ける錠取り付け構造において、前記錠本体を回動不能かつ軸線方向に移動不能に収容する錠ケースを前記錠の鍵穴の部分の面が前記扉から露出するように前記扉の裏面に配置固定した。
【０００８】
請求項１に記載の発明によれば、錠ケースに錠本体を回動不能かつ軸線方向に移動不能に収容した。そして、その錠ケースを扉の裏側に配置固定して、扉からは鍵穴の部分の面が露出するようにした。従って、露出する錠本体の部分の面や錠本体の周囲の扉をハンマー等で叩打しても、錠本体が錠ケースに保護されるため扉の裏側に容易に陥没することがない。その結果、扉の叩き込み等によって不正に開錠される虞がない。
【０００９】
請求項２に記載の発明は、請求項１に記載の錠取り付け構造において、前記扉には、その裏面に補強板が固着され、前記錠ケースを前記補強部材を介して前記扉の裏面に固定した。
【００１０】
請求項２に記載の発明によれば、錠ケースを扉の裏面に固着される補強板で固定しているため、扉の叩き込み等に対して錠本体を収容する錠ケースをより強固に保護することができる。
【００１１】
請求項３に記載の発明は、請求項１又は２に記載の錠取り付け構造において、前記錠ケースには、前記扉に形成された穴と連通する貫挿穴が形成され、その貫挿穴から錠本体を収入し収容するようにした。
【００１２】
請求項３に記載の発明によれば、錠ケースに扉に形成された穴と連通する貫挿穴を設け、その貫挿穴から錠本体を収入し収容するようにしたので、錠本体を扉に形成された穴から錠ケースに取り付けることができる。そのため、錠本体の取り付け作業が容易となる。
【００１３】
請求項４に記載の発明は、請求項３に記載の錠取り付け構造において、前記錠ケースには閂部材が配設され、その閂部材が収容された前記錠本体に形成された嵌合溝に対して係合位置と非係合位置との間を移動可能に支持されるようにした。
【００１４】
請求項４に記載の発明によれば、錠ケースに配設される閂部材を錠本体に係合させて錠ケースに収容した。そして、閂部材が錠本体との係合位置と非係合位置とを移動できるようにした。従って、閂部材を非係合位置にすることで錠ケースに対して錠本体を脱着可能にすることができ、係合位置にすることで錠本体を回動不能かつ軸線方向に移動不能にすることができる。そのため、錠本体の交換作業がより容易となる。
【００１５】
請求項５に記載の発明は、請求項１乃至４のいずれか１つに記載の錠取り付け構造において、前記扉の裏面であって、前記錠ケースの前方位置に、前記錠を回動中心として回動する回転板を配設した。
【００１６】
請求項５に記載の発明によれば、扉の裏面であって錠ケースの前方に錠を回動中心とする回転板を備えているので、ホールソー等で錠の回りを切断して錠を引き抜こうとしても、ホールソー等の刃先とともに回転板が回転し、切断することができない。従って、錠の引き抜き破壊に対する防犯性能を向上させることができる。
【００１７】
請求項６に記載の発明は、容器本体の扉を施錠及び開錠する錠の錠本体を収容する錠ケースと、前記錠ケースに配設され、その錠ケースに収容された前記錠本体に形成された嵌合溝に対して係合位置と非係合位置の間を移動可能とする閂部材と、前記閂部材を係合位置に配設固定させる固定部材とからなる錠取り付けユニットとした。
【００１８】
請求項６に記載の発明によれば、錠取り付けユニットの錠ケース内に錠本体と閂部材とを収容し、その閂部材を錠本体との係合位置と非係合位置とを移動可能にして係合位置に配置固定させる固定部材を設けた。従って、扉を開閉する容器に対して錠取り付けユニットを取り付けることによって、扉の叩き込みや錠の引き抜き等に対する防犯性能を向上させるとともに錠の交換の利便性を向上させる容器とすることができる。
【発明を実施するための最良の形態】
【００１９】
（第１実施形態）
以下、本発明を具体化した一実施形態を図１〜図５に従って説明する。
図１は、自販機１０の全体斜視図であって、容器本体１１に対して扉１２が開閉可能に取着されている。扉１２の正面右側には、錠本体としてのシリンダ錠１３が内蔵されている。そしてシリンダ錠１３の鍵穴１３ａに鍵を挿入してシリンダ錠１３を開錠させると、扉１２を開閉させることができる。
【００２０】
扉１２は、図２に示すように、正面板１４を備え、その正面板１４に前記シリンダ錠１３の鍵穴１３ａを露出させるための円形の穴１５が形成されている。穴１５の開口縁は、図２に示すように、裏面側にＬ字形に折り曲げられており、その折り曲げ形成された環状部を環状軸受部１６としている。前記正面板１４の裏面であって、前記環状軸受部１６には、回転板１７が回転可能に軸支されている。回転板１７は、浸炭焼入れ処理された鉄鋼等の金属円板であって、図３に示すように、円環状に形成されている。
【００２１】
前記正面板１４の裏面であって、環状軸受部１６に回転可能に支持された回転板１７を挟んで上下両側方には、上下一対の第１補強板１８，１９が設けられている。上下一対の補強部材を構成する第１補強板１８，１９は正面板１４より厚い金属板であって、正面板１４に対して溶接にて固着されている。上側の第１補強板１８の上部は逆Ｕ字状に折り曲げ形成されその先端折曲部１８ａには左右一対のねじ貫通穴２０が形成されている。一方、下側の第１補強板１９の上部はＵ字状に折り曲げ形成されその先端折曲部１９ａには左右一対のねじ貫通穴２１が形成されている。
【００２２】
前記正面板１４の裏面であって、前記上下一対の第１補強板１８，１９を挟んで上下両側方には、上下一対の補強部材を構成する第２補強板２２，２３が設けられている。上下一対の第２補強板２２，２３は正面板１４より厚い金属板であって、正面板１４に対して溶接にて固着されている。上側の第２補強板２２の下部はクランク状に折り曲げ形成されその先端折曲部２２ａには前記上側の第１補強板１８の先端折曲部１８ａと重なるようになっている。また、上側の第２補強板２２の先端折曲部２２ａには、前記第１補強板１８の先端折曲部１８ａに形成した左右一対のねじ貫通穴２０と連通するねじ貫通穴２４が形成されている。一方、下側の第２補強板２３の上部はクランク状に折り曲げ形成されその先端折曲部２３ａには前記下側の第１補強板１９の先端折曲部１９ａと重なるようになっている。また、下側の第２補強板２３の先端折曲部２３ａには、前記第１補強板１９の先端折曲部１９ａに形成した左右一対のねじ貫通穴２１と連通するねじ貫通穴２５が形成されている。
【００２３】
上下一対の第２補強板２２，２３間には、錠ケースとしてのシリンダケース３０が配設されている。シリンダケース３０は、フロントハウジング３１と蓋体３２とからなる。フロントハウジング３１と蓋体３２は、それぞれ上下両側に左右一対のねじ貫通穴３３，３４が形成されている。フロントハウジング３１は、その収容凹部３５を蓋体３２にて閉塞した状態で、ねじ貫通穴３３，３４が第１補強板１８，１９のねじ貫通穴２０，２１と第２補強板２２，２３のねじ貫通穴２４，２５との間に配設される。そして、ねじ貫通穴２０，２１と連通したねじ貫通穴３３，３４からボルト３６を貫挿しそのボルト３６をナット３７で螺着することによって、シリンダケース３０は、第１補強板１８，１９と第２補強板２２，２３に対して固定される。
【００２４】
フロントハウジング３１は、前記正面板１４に形成した穴１５と相対する位置に、円形の貫挿穴３９が形成されている。貫挿穴３９の正面板側の面には前記環状軸受部１６と連通する外筒３９ａが延出形成されている。また、貫挿穴３９の上側にはねじ穴３８が形成されている。なお、フロントハウジング３１と前記回転板１７との間には、パッキンＰが配設されている。一方、蓋体３２は、前記フロントハウジング３１の貫挿穴３９と相対する位置には、嵌合凹部４０が凹設され、その嵌合凹部４０の奥面には挿通穴４１が形成されている。また、蓋体３２は、嵌合凹部４０の上側に小判形状の嵌合穴４２が形成されている。シリンダケース３０は、フロントハウジング３１の収容凹部３５を蓋体３２にて閉塞した状態で、フロントハウジング３１の外筒３９ａと蓋体３２の嵌合凹部４０とで前記シリンダ錠１３を収容支持している。
【００２５】
フロントハウジング３１の収容凹部３５には、金属製の支持板４３が配設される。支持
板４３は前記蓋体３２に形成した嵌合穴４２に嵌合する小判形状の嵌合突起４４が形成されている。従って、嵌合突起４４が嵌合穴４２に嵌合すると、支持板４３は、蓋体３２に対して回動不能に支持される。嵌合突起４４には第１ガイドスリット４５が形成され、その第１ガイドスリット４５の下部には、固定部材としての締結ねじ４６の頭部４６ａが嵌合する凹部４５ａが拡開形成されている。嵌合突起４４の下側には、蓋体３２に形成した嵌合凹部４０と対応する位置に貫挿穴４７が形成され、前記シリンダ錠１３が貫通される。また、嵌合突起４４の左右両側には、上下方向に延びる第２ガイドスリット４８が形成されている。
【００２６】
また、フロントハウジング３１の収容凹部３５には、前後一対の金属製の閂部材を構成する第１閂板５０と閂部材を構成する第２閂板５１とが配設されている。第１及び第２閂板５０，５１は、前記支持板４３の第１ガイドスリット４５から挿通される締結ねじ４６がフロントハウジング３１に形成したねじ穴３８に螺着されると、同フロントハウジング３１に対して固着されることによって、支持板４３とフロントハウジング３１との間で挟着固定される。第１閂板５０は、左右一対の係止片５０ａが支持板４３側に延出形成されている。この左右一対の係止片５０ａは、第２閂板５１の左右両側に形成した係合凹部５１ａに係合して支持板４３の第２ガイドスリット４８に貫挿される。従って、第１及び第２閂板５０，５１は、支持板４３に対して回動不能に支持板４３とフロントハウジング３１との間で挟着固定される。そして、第１及び第２閂板５０，５１は、第１及び第２閂板５０，５１の二股部５０ｂ，５１ｂとがシリンダケース３０に収容されるシリンダ錠１３の胴部に形成した断面が小判形上の環状の係合溝１３ｂと嵌合して固定される。この嵌合位置を係合位置という。その結果、シリンダケース３０内に収容されたシリンダ錠１３は、第１および第２閂板５０，５１によって、シリンダケース３０内で回動不能に、かつ正面板１４の穴１５から引き抜きができないようになっている。
【００２７】
また、締結ねじ４６を緩めてフロントハウジング３１から外し、同締結ねじ４６を支持板４３の嵌合突起４４に形成した第１ガイドスリット４５に沿って上動させると、第１及び第２閂板５０，５１が同締結ねじ４６によって上動される。このとき、第１閂板５０に形成した係止片５０ａが支持板４３に形成した第２ガイドスリット４８にそって案内される。そして、第１及び第２閂板５０，５１の二股部５０ｂ，５１ｂがシリンダ錠１３の胴部に形成した環状の係合溝１３ｂから離脱した非係合位置に配置されると、シリンダ錠１３は、図５（ａ）に示すように、シリンダケース３０を第１補強板１８，１９及び第２補強板２２，２３に取り付けた状態で、正面板１４の穴１５から取り出せるようになっている。反対に、シリンダ錠１３を組み付けるときには、前記第１及び第２閂板５０，５１を上動させた状態にして、正面板１４の穴１５からシリンダ錠１３をシリンダケース３０内に挿入する。そして、図５（ｂ）に示すように、第１及び第２閂板５０，５１を係合位置まで下げて、締結ねじ４６を締め付ければシリンダ錠１３の組み付けは完了する。
【００２８】
シリンダケース３０に支持固定されたシリンダ錠１３の操作軸１３ｃは、図４に示すように、蓋体３２の嵌合凹部４０に形成した挿通穴４１を貫通し、図２に示すように、タグ軸５２に連結固定されている。タグ軸５２は、操作軸１３ｃに対して同操作軸１３ｃに対して一体回転可能にかつ軸線方向に移動可能に連結されている。つまり、シリンダ錠１３の鍵穴１３ａに鍵を挿入して回すと、操作軸１３ｃ（タグ軸５２）が回転する。タグ軸５２は蓋体３２に支持固定されたタグケース５３内において軸受部材５４ａ，５４ｂにて回動可能にかつ軸線方向に移動可能に支持固定されている。従って、シリンダ錠１３が正面板１４の穴１５からシリンダ錠１３をシリンダケース３０内に挿入されたとき、シリンダ錠１３の操作軸１３ｃはタグ軸５２を一体回転可能に連結される。
【００２９】
また、タグ軸５２は、タグケース５３内において、操作カム５５が固着され、同タグ軸５２と一体回転するようになっている。タグケース５３には、その上下両側面に開口部５
６，５７が形成され、前記タグ軸５２とともに回転する操作カム５５が、開口部５６，５７から出没するようになっている。つまり、シリンダ錠１３の鍵穴１３ａに鍵を挿入して回すと、操作軸１３ｃ（タグ軸５２）が回転して操作カム５５が開口部５６，５７から出没する。
【００３０】
操作カム５５は、タグケース５３の開口部５６，５７から突出すると、図示しない容器本体１１側に設けた係合部材と係合するようになっている。その結果、扉１２を開けることができない状態になる。反対に、操作カム５５は、タグケース５３内に没入しているとき、容器本体１１側に設けた前記係合部材との係合が解かれた状態になる。その結果、扉１２を開けることができる状態になる。
【００３１】
従って、上記実施形態によれば以下のような効果を得ることができる。
（１）本実施形態によれば、自販機１０の扉１２の裏面に設けたシリンダ錠１３を、その鍵穴１３ａ部分のみが、正面板１４の穴１５から露出されるように配設するとともに、そのシリンダ錠１３をフロントハウジング３１と蓋体３２とからなる金属製のシリンダケース３０に収容した。従って、シリンダ錠１３及びそのシリンダ錠１３を収容するシリンダケース３０の取り付け構造が、外から視認することができないことから、シリンダ錠１３を破壊して扉１２を開ける不正行為に対して抑止効果を高めることができる。しかも、扉１２の正面板１４の穴１５から露出したシリンダ錠１３の部分をハンマー等で叩打しても、シリンダケース３０内にシリンダ錠１３が収容されているため容易にシリンダ錠１３が陥没することはない。従って、シリンダ錠１３が陥没して、操作カム５５と継合部材との係合状態が解かれ扉１２が不正に開けられる虞はない。
【００３２】
（２）しかも、本実施形態によれば、シリンダ錠１３を収容したシリンダケース３０は、正面板１４の裏面に溶接した第１補強板１８，１９及び第２補強板２２，２３に連結固定し、シリンダ錠１３の鍵穴１３ａ部分の面のみを、正面板１４の穴１５から露出させるように構成した。従って、シリンダケース３０は強固に支持固定されていることになり、シリンダケース３０に収容されたシリンダ錠１３はより強固に保護され、ハンマー等で叩打による不正開錠はより行い難くなる。しかも、シリンダ錠１３の回りの正面板１４をハンマー等で叩打して正面板１４とともにシリンダ錠１３を陥没させようとしても、正面板１４の裏面に溶接した第１補強板１８，１９及び第２補強板２２，２３によって容易に陥没することはない。
【００３３】
（３）本実施形態では、正面板１４の裏面とシリンダ錠１３を収容したシリンダケース３０との間に、回転板１７を回転可能に配設した。従って、ホールソー等によってシリンダ錠１３の回りの正面板１４を切断しようとしても、ホールソー等の刃先の回転とともに回転板１７が回転するため、シリンダケース３０にその刃先が到達することがない。そのため、シリンダケース３０が切り抜かれてシリンダ錠１３が不正に引き抜かれる虞がない。
【００３４】
（４）本実施形態では、正面板１４の裏面に回転板１７を配設して、外見上、回転板１７が設けられていること、及び、回転板１７のサイズが分からないように構成した。従って、事前に回転板１７を避けてホールソー等を使って正面板１４を切断することができず、不性行為をでき難くできる。
【００３５】
（５）本実施形態において、シリンダ錠１３は、シリンダケース３０においてシリンダ錠１３に形成した係合溝１３ｂに第１及び第２閂板５０，５１にて嵌合固定されるようにした。その結果、シリンダ錠１３が、不正に回動されたり、正面板１４の穴１５から不正に引き抜かれる虞がない。
【００３６】
（６）本実施形態では、シリンダ錠１３はシリンダケース３０内において第１及び第２閂板５０，５１によって回動不能に、かつ、正面板１４の穴１５から引き抜きができない構造にした。従って、シリンダ錠１３は、シリンダケース３０を扉１２に取り付けた後に、正面板１４の穴１５からシリンダ錠１３をシリンダケース３０内に挿入するだけで、シリンダ錠１３の組み付けができる。その組み付け作業は簡単になる。
（７）しかも、本実施形態では、シリンダ錠１３の操作軸１３ｃは、タグケース５３に設けられたタグ軸５２と一体回転可能にかつ軸線方向に移動可能に連結されている。従って、操作カム５５を固着したタグ軸５２をタグケース５３に配置してシリンダケース３０に取り付けた後に、シリンダ錠１３を正面板１４の穴１５からシリンダケース３０内に挿入することができる。その結果、組み付け作業がさらに簡単となる。
【００３７】
なお、上記実施形態は以下のように変更してもよい。
○上記実施形態では、錠取り付け構造を自動販売機に具体化したが、これに限定されるものではなく、扉を開閉する容器であれば何でもよい。
【００３８】
○上記実施形態では、第１及び第２閂板５０，５１の２個の閂板を設けたが、これに限定されるものではなく、閂板を１個、或いは４個以上設けて実施してもよい。
○上記実施形態では、支持板４３をフロントハウジング３１と蓋体３２との間に配設したが、支持板４３の前後側にパッキン等を挟入してフロントハウジング３１と蓋体３２との間の位置決め補強して支持板４３を収容してもよい。
【００３９】
○上記実施形態では、第２閂板５１の係合凹部５１ａに左右一対の係止片５０ａを係合させて第１閂板５０に係合させたが、これに限定されるものではなく、第１及び第２閂板５０，５１に位置決め穴を設けて位置決めピン等を挿通させることによって第２閂板５１を第１閂板５０に係合させてもよい。
【図面の簡単な説明】
【００４０】
【図１】本発明を具体化した自動販売機の全体斜視図。
【図２】シリンダ取り付け構造を説明する横断面図。
【図３】シリンダ錠とシリンダケースとの関係を説明する斜視図。
【図４】シリンダケースとタグ軸との関係を説明する斜視図。
【図５】シリンダケースにシリンダ錠を取り付ける説明図であって（ａ）はシリンダ錠を取り付ける前の説明図、（ｂ）はシリンダ錠を取り付けた後の説明図。
【符号の説明】
【００４１】
１０…自販機、１１…容器本体、１２…扉、１３…錠本体としてのシリンダ錠、１３ａ…鍵穴、１３ｂ…係合溝、１３ｃ…操作軸、１４…正面板、１７…回転板、１８，１９…補強部材を構成する第１補強板、２２，２３…補強部材を構成する第２補強板、３０…錠ケースとしてのシリンダケース、３１…フロントハウジング、３２…蓋体、３５…収容凹部、３９…貫挿穴、４０…嵌合凹部、４３…支持板、４５…第１ガイドスリット、４６…固定部材としての締結ねじ、４８…第２ガイドスリット、５０…閂部材を構成する第１閂板、５０ａ…係止片、５１…閂部材を構成する第２閂板、５０ｂ，５１ｂ…二股部、５２…タグ軸、５３…タグケース、５５…操作カム。
【図１】
2005281987.tif 000003
【図２】
2005281987.tif 000004
【図３】
2005281987.tif 000005
【図４】
2005281987.tif 000006
【図５】
2005281987.tif 000007